(57)【要約】【課題】ユーザの所望の画像コマを効率よく検索する。【解決手段】ユーザの生年月日情報より、ユーザの各時代（幼少期、小学生、中学生、高校生、大学生、会社員時代）に対応する年代を特定する。ＤＶＤ内の画像コマの年月日情報を読み出して、各時代毎に画像コマをグループ化する。ディスプレイ２３には、ユーザの各時代を表す時代ボタン５７〜６２と時間軸５５とが並べて表示される。選択された時代に属する画像コマをＤＶＤから順次読み出して、時代ボタン５７〜６２の下部に表示する。【選択図】        図５
2005031830.tif 000002
【特許請求の範囲】
【請求項１】
記録媒体に記録された複数の画像データを読み出して、画像コマをディスプレイに表示する画像表示方法において、
ユーザの生年月日情報からユーザの各時代に対応する年代を特定し、前記画像コマの撮影年月日を特定する年月日情報をもとに前記画像コマを各時代毎にグループ化し、次いで選択された時代に属する前記画像コマを読み出して前記ディスプレイに表示することを特徴とする画像表示方法。
【請求項２】
ユーザの各時代を表す時代情報を、年代を表す時間軸に対応づけて前記ディスプレイに表示することを特徴とする請求項１記載の画像表示方法。
【請求項３】
各時代毎にグループ化された画像コマから代表画像コマを選択し、前記時代情報とともに前記代表画像コマを表示することを特徴とする請求項２記載の画像表示方法。
【請求項４】
ユーザ毎に前記時代情報を表示することを特徴とする請求項２又は３記載の画像表示方法。
【請求項５】
前記画像データは、写真フイルム又は印画紙に記録された画像を光電的に読みとることで取得され、前記年月日情報は、前記写真フイルム又は前記印画紙に記録された情報より取得されることを特徴とする請求項１〜４のいずれか１項に記載の画像表示方法。
【請求項６】
記録媒体に記録された複数の画像データを読み出して、画像コマをディスプレイに表示する画像表示方法において、
ユーザの生年月日情報からユーザの各時代に対応する年代を特定して、ユーザの各時代を表す時代情報を年代を表す時間軸に対応づけて前記ディスプレイに表示するとともに、
年代が予め特定された特定画像コマを前記時代情報と並べて表示することを特徴とする画像表示方法。
【請求項７】
記録媒体に記録された複数の画像データを読み出して、画像コマをディスプレイに表示するプログラムであって、
ユーザの生年月日情報からユーザの各時代に対応する年代を特定し、前記画像コマの撮影年月日を特定する年月日情報をもとに前記画像コマを各時代毎にグループ化する手順と、
選択された時代に属する前記画像コマを読み出して前記ディスプレイに表示する手順をコンピュータに実行させるためのプログラム。
【請求項８】
記録媒体に記録された複数の画像データを読み出して、画像コマをディスプレイに表示するプログラムであって、
ユーザの生年月日情報からユーザの各時代に対応する年代を特定して、ユーザの各時代を表す時代情報を年代を表す時間軸に対応づけて前記ディスプレイに表示する手順と、
年代が予め特定された特定画像コマを前記時代情報と並べて表示する手順とをコンピュータに実行させるためのプログラム。
【発明の詳細な説明】
【０００１】
【発明の属する技術分野】
本発明は、記録媒体に記録された画像データを読み出して、画像をディスプレイに表示する画像表示方法及びプログラムに関する。
【０００２】
【従来の技術】
スキャナ等の読取装置を用いてネガフイルムやプリントに記録された画像を読み取ってデジタル化し、得られた画像データをＣＤ−ＲやＤＶＤ−Ｒ等の記録媒体に記録するサービスが提案されている（特許文献１参照）。記録媒体内の画像データはパーソナルコンピュータ等の再生装置によって順次読み出され、これによりユーザはモニタ上に表示された画像を鑑賞することができる。
【０００３】
モニタ上に表示される画像のコマ数は限られているため、ユーザは、カーソルキーやマウス等を操作して、所望の画像をモニタ上に表示させる必要がある。記録媒体内の画像コマ数が非常に多い場合には、ユーザが所望する画像を探すのに非常に手間がかかるという問題がある。
【０００４】
そこで、ネガフイルムやプリントに記録された撮影年情報を読み取り、撮影年毎に画像を分類することが行われている。撮影年情報をキーワードとして検索することで、ユーザの所望とする画像を効率よく検索することが可能となる。
【０００５】
【特許文献１】
特開平１０−１５０５３８号公報
【０００６】
【発明が解決しようとする課題】
一般に、時代が古くなればなるほど人間の記憶はあいまいであり、昔の出来事を年代別に覚えているユーザは非常に少ない。このため、古い写真やネガフイルムをデジタル化して鑑賞するような場合では、ユーザが鑑賞したい画像がいつ頃撮影されたものであるかを記憶していない場合が多い。このように、ユーザの記憶は撮影年情報と直接関連しておらず、撮影年情報から所望の画像を効率よく検索することが難しい。
【０００７】
本発明は上記事情に鑑みなされたものであり、ユーザの記憶を利用して所望の画像を効率よく検索することができる画像表示方法及びプログラムを提供することを目的とする。
【０００８】
【課題を解決するための手段】
上記目的を達成するために、本発明の画像表示方法では、ユーザの生年月日情報からユーザの各時代に対応する年代を特定し、画像コマの撮影年月日を特定する年月日情報をもとに画像コマを各時代毎にグループ化し、次いで選択された時代に属する画像コマを読み出して表示することを特徴とする。
【０００９】
ユーザの各時代を表す時代情報を、年代を表す時間軸に対応づけてディスプレイに表示しても良い。また、各時代毎にグループ化された画像コマから代表画像コマを選択し、時代情報とともに代表画像コマを表示することも可能である。なお、ユーザ毎に時代情報を表示しても良い。
【００１０】
本発明の画像表示方法では、ユーザの生年月日情報からユーザの各時代に対応する年代を特定して、ユーザの各時代を表す時代情報を年代を表す時間軸に対応づけてディスプレイに表示するとともに、年代が予め特定された特定画像コマを時代情報と並べて表示することを特徴とする。
【００１１】
なお、本発明による画像表示方法をコンピュータに実行させるためのプログラムとして提供してもよい。
【００１２】
【発明の実施の形態】
以下、図面を参照して、本発明の実施例を説明する。図１に示すように、ユーザ１０は、自らが所有するネガフイルム１２やプリント（画像が記録された印画紙等）１４をケース１６に入れてデジタルセンター１８へ送る。デジタルセンター１８では、ユーザのネガフイルム１２やプリント１４を読みとって画像データを生成し、これをＤＶＤ（Ｄｉｇｉｔａｌ  Ｖｅｒｓａｔｉｌｅ  Ｄｉｓｋ）２０に記録する。記録済みのＤＶＤ２０はユーザ１０に送られる。ユーザ１０は、ＤＶＤ２０をパーソナルコンピュータ（ＰＣ）２２にセットすることで、ＤＶＤ２０内の画像を鑑賞することができる。
【００１３】
ユーザ１０からデジタルセンター１８へ送られるケース１６の中には、ネガフイルム１２やプリント１４の他に受付票２４が含まれる。この受付票２４には、ユーザ１０の氏名、住所、生年月日、電話番号、電子メールアドレス、家族構成等のユーザ情報を記入する欄が設けられている。ユーザ１０が受付票２４にユーザ情報を記入することで、デジタルセンター１８にユーザ情報が送られる。
【００１４】
デジタルセンター１８は、フイルムスキャナ２６，プリントスキャナ２８，ハードディスク３０，画像処理部３２，ユーザ情報読取装置３４，ＤＶＤ作製装置３６，操作入力部３８と、これらを動作を制御するコントローラ４０、ＲＯＭ４２、ＲＡＭ４４とから構成される。デジタルセンター１８を構成する各部は、データバス４６を介して互いに接続される。
【００１５】
フイルムスキャナ２６は、ネガフイルム１２に記録された画像を所定の解像度で順次読み取り、各画像に対応する画像データを取得する。得られた画像データは、固有のファイル名（例えば、ＡＬＢＵＭｉ．ｊｐｇ，  ｉ  は固有番号）が付けられてハードディスク３０に記録される。
【００１６】
また、フイルムスキャナ２６は、ネガフイルム１２内の画像を読み取るとともに、撮影された年月日を表す年月日情報を取得する。ここで、ネガフイルム１２には、フイルムに特有のコード番号（以下ＤＸコードとする）が記録されている。ネガフイルム１２からＤＸコードを読み取り、ハードディスク３０に記録された日時データベースを参照することにより、ネガフイルム１２が製造された年代を年月日情報として推定することができる。
【００１７】
なお、ネガフイルム１２がＡＰＳフイルムである場合には、各フイルムコマの外側に撮影年月日などの撮影情報を記録した磁気記録部が設けられている。このため、磁気記録部に記録された磁気情報を読み取ることで、年月日情報を検出することができる。
【００１８】
また、ネガフイルム１２内の画像に撮影年月日が映し込まれている場合には、撮影年月日部分の文字認識を行うことにより、年月日情報を検出することができる。なお、画像によっては、映し込まれている撮影年月日が判読しにくい場合がある。このような場合には、その画像コマの前後の画像コマにおいて判読することができた日付に基づき、撮影年月日が判読できなかった画像の年月日情報を推定しても良い。
【００１９】
プリントスキャナ２８は、プリント１４に記録された画像を読み取って画像データを生成し、固有のファイル名を付けてハードディスク３０に記録する。また、プリント１４に撮影年月日が映し込まれている場合には、その撮影年月日を含む部分に対して文字認識を行うことにより、年月日情報を検出する。
【００２０】
また、プリント１４がフチ有りプリントの場合には、縁部分に例えば「Ｆｕｊｉｃｏｌｏｒ  ９９」というようにプリントの年代を表す情報が含まれている場合がある。また、プリント１４の裏面にプリントの年代を表す情報が含まれている場合もある。このような場合は、プリント１４の縁または裏面の読み取りを行い、さらに文字認識を行うことにより得られた情報を年月日情報として用いてもよい。
【００２１】
コントローラ４１は、フイルムスキャナ２６又はプリントスキャナ２８において検出された年月日情報と、画像データファイルとを対応づけたインデックスファイルを生成する。このインデックスファイルはＲＡＭ４４に記録され、画像が読みとられる毎に更新される。
【００２２】
画像処理部３２は、フイルムスキャナ２６又はプリントスキャナ２８において生成された画像データに対して階調処理、色変換処理、シャープネス処理等の画像処理を施して処理済みの画像データを得る。また、画像処理部３２は、セピア色を通常の色に修正するための退色補正処理、傷補正処理および赤目補正処理等の画像修復処理を行ってもよい。
【００２３】
ユーザ情報読取装置３４は、受付票２４に記載されたユーザ情報を光学的に読み取るものであり、例えばバーコードリーダ、マークシートリーダ、光学式文字読み取り装置（ＯＣＲ  ）が用いられる。ユーザ情報読取装置３４によって読み取られたユーザ情報は、ＲＡＭ４４に記憶される。ユーザ情報を光学的に読み取る代わりに、オペレータが操作入力部３８を操作して、受付票２４に記載されたユーザ情報を手動で入力しても良い。
【００２４】
ＤＶＤ作製装置３６は、ハードディスク３０内の画像データファイルや、ＲＡＭ４４に記憶されたインデックスファイル、画像を閲覧するための閲覧プログラム等をＤＶＤ２０に記録する。また、ＣＤ−Ｒ、ＭＯ、光カード等のメディアを用いても良く、この場合には、ＤＶＤ作製装置３６の代わりにＣＤ−Ｒドライブ、ＭＯドライブ、光カード書き込み装置が設けられる。
【００２５】
図２に示すように、ＤＶＤ２０には、画像データファイル４７、インデックスファイル４８、ユーザ情報ファイル４９及び閲覧プログラムファイル５０が記録される。画像データファイル４７には固有のファイル名（例えば、ＡＬＢＵＭ１．ｊｐｇ）が付けられており、ネガフイルム１２やプリント１４から読み取られた各画像を識別する。
【００２６】
インデックスファイル４８は、画像データファイル名４８ａと、これに対応づけられた年月日情報４８ｂを有しており、年月日順に並べられている。この年月日情報４８ｂは、後述するように、複数の画像データファイル４７を年代別または時代別にグループ分けするために用いられる。年月日情報の他に、フイルムタイプ、シーン情報、退色補正、傷補正、赤目補正、ＡＰＳ−ＣＨＰ  、１３５−ＦＨＰ  、プリントサイズ、画素数等の情報を加えても良い。
【００２７】
ユーザ情報ファイル４９には、受付票２４に記載され、ユーザ情報読取装置３４で読み取られたユーザ情報（生年月日情報、ユーザ名情報等）が記録される。閲覧プログラムファイル５０は、画像データファイル４７を読み出してＰＣ２２のディスプレイ２３に表示するためのプログラムである。この閲覧プログラムファイル５０は、デジタルセンター１８のＲＯＭ４２に記録されており、ＤＶＤ２０の作製時にＤＶＤ作製装置３２に送られる。
【００２８】
画像データファイル４７等が記録されたＤＶＤ２０は、デジタルセンター１８からユーザ１０に送られる。ＰＣ２２内のＤＶＤドライブにＤＶＤ２０がセットされると、閲覧プログラムファイル５０が読み出され、閲覧プログラムが起動する。そして、インデックスファイル４８及びユーザ情報ファイル４９が読み出され、図３に示す初期画面がディスプレイ２３に表示される。
【００２９】
ディスプレイ２３には、ユーザ名情報５１，年代別ボタン５２，時代別ボタン５３，思い出ボタン５４が図中横方向に並べられ、その下部には、年代を表す時間軸５５が表示される。時間軸５５の下部には、一定範囲の年代（例えば５年間）に含まれる画像コマの数を表したコマ数ボタン５６が横方向に並べられる。インデックスファイル４８内の年月日情報４８ｂをもとに、画像データファイル４７を一定の年代毎（例えば５年ごと）でグループ化し、各年代に属する画像データファイル４７のコマ数をカウントすることで、各年代に属する画像コマ数情報を求めることができる。ＰＣ２２のキーボード又はマウスを操作して、所望の年代のコマ数ボタン５６を選択すると、選択されたコマ数ボタン５６の年代に属する年月日情報を含む画像データファイル４７がＤＶＤ２０から読み出され、そのサムネイル画像がコマ数ボタン５６の下部に並べられる。
【００３０】
時代別ボタン５２が選択されると、ユーザ１０の生年月日情報を基にして定められた時代区分（例えば、幼少期、小学生時代、中学生時代、高校生時代、大学生時代、会社員時代など）に従って、ＤＶＤ２０内の画像データファイル４７をグループ化する。すなわち、図４のフローチャートに示すように、ユーザ情報ファイル４９から生年月日情報が読み出され、ユーザ１０の生年データをＡ（０）  としてＰＣ２２内のメモリに記憶する。そして、生年データＡ（０）  より、小学校入学年度データＡ（１）  、中学校入学年度データＡ（２）  、高校入学年度データＡ（３）  、大学入学年度データＡ（４）  、入社年度データＡ（５）  を、順に算出する。例えば、満６歳に達したときに小学校に入学するため、Ａ（１）＝Ａ（０）＋６  となる。
【００３１】
ここで、生年データＡ（０）  が同じ場合でも、誕生日によって小学校や中学校の入学年が異なる。例えば、ユーザの生年月日が１９６０年４月１日である場合は小学校の入学年度が１９６６年であるのに対し、生年月日が１９６０年４月２日である場合は入学年度が１９６７年となる。このため、ユーザの誕生日が４月２日以降である場合には、４月１日以前である場合に比べて１だけ大きくなるように、Ａ（１）  〜Ａ（５）  の値を決定する。
【００３２】
次に、年度データＡ（０）  〜Ａ（５）  より、ＤＶＤ２０内の画像データファイル４７を各時代毎に分類する。例えば、ユーザ１０の生年月日からＡ（１）  で表される年度の３月３１日までの範囲に年月日情報が含まれる画像データファイル４７を、幼少期に属する画像データファイルとして決定する。また、Ａ（１）  で表される年度の４月１日から、Ａ（２）  で表される年度の３月３１日までの範囲に年月日情報が含まれる画像データファイル４７を、小学校時代に属する画像データファイルとして決定する。以下、同様にして、中学校時代、高校時代、大学時代、会社員時代に属する画像データファイルを決定する。
【００３３】
図５に示すように、画像データファイル４７が時代別にグループ化された後、各時代を表す時代ボタン５７〜６２が、時間軸５５の下部に表示される。時代ボタン５７〜６２には、「幼少期」や「小学生」等の時代を表す表示とともに、各時代に属する画像コマ数が表示される。時代ボタン５７〜６２を時間軸５５と並べて表示することで、ユーザ１０の幼少期、小学生時代、中学生時代、高校時代、大学時代、社会人時代が、それぞれどの年代であったかが明確になり、ユーザが各時代を思い出すきっかけとなる。
【００３４】
ユーザ１０は、一列に並べられた時代ボタン５７〜６２を観察して、鑑賞したい時代の時代ボタンを選択する。例えば、高校生時代を表す時代ボタン６０が選択されると、年度データＡ（３）  とＡ（４）  で定められる年代に属する画像データファイル４７がＤＶＤ２０から読み出され、サムネイル画像である画像コマ６３がディスプレイ２３上に並べて表示される。画面右下にあるスクロールバー６４を操作することで、ディスプレイ２３に同時に表示しきれない画像コマを参照することができる。ユーザ１０は、ＰＣ２２のキーボード又はマウスを操作して、カーソルキー６５を所望の画像コマへ移動し、図示しない決定キーやプリントキーを操作すると、所望の画像コマが拡大されてディスプレイ２３に表示され、あるいはプリント出力される。
【００３５】
思い出ボタン５３が選択されると、閲覧プログラム５０内に記録されている思い出画像データファイルが読み出される。そして、図６に示すように、思い出画像コマ６６〜７１がディスプレイ２３に表示される。この思い出画像コマは、過去の大きな事件やイベント等の思い出となる出来事を表す画像コマであり、その出来事が発生した年月日情報とともに閲覧プログラム５０に記録される。ユーザは、ユーザ自身の時代と思い出画像コマが表す出来事とを観察することにより、当時の様子を振り返ることができる。ユーザ１０は、カーソルキー６５を移動して、所望の思い出画像コマを選択する。
【００３６】
例えば、大阪万博博覧会（万博）を表す思い出画像コマ６７が選択されると、該当する思い出画像コマ６７が時間軸８０とともに表示される（図７）。時間軸８０は月単位で表示されており、思い出画像コマ６７が表す出来事の発生月が時間軸８０と対応するように、思い出画像コマ６７がディスプレイ２３の中央付近に表示される。また、時間軸８０に表示された範囲内に年月日情報を有する画像データファイル４７が読み出され、各月毎にグループ化される。そして、各月グループ毎に定められた代表画像コマ７５〜７９が、ディスプレイ２３に表示される。代表画像コマ７５〜７９の背部には、各月に属する画像コマの数を表すサブ画像コマ７５ａ〜７９ａが表示されており、ユーザは各月グループに属するコマ数の量を容易に判別することができる。
【００３７】
思い出画像コマと対応づけて画像コマを表示することで、写真が撮影された時代の出来事を容易に思い出すことができる。また、思い出画像コマに表された出来事を利用して各画像コマにタグを付すことにより、画像データファイルを効率よく整理することができる。複数のユーザが同じ出来事を経験している場合、例えば夫と妻が万博を訪れたことがある場合には、その出来事が開催された頃の画像コマを鑑賞することにより、複数人が当時の出来事を思い出すことができる。このように、思い出画像コマを利用して写真が撮影された時代を思い出す機会を与えることができる。
【００３８】
なお、年月日が最も早い画像コマを代表画像７５〜７９として定めても良いし、ユーザ１０が代表画像コマを選択してもよい。あるいは、類似画像検索を行って、思い出画像コマ６７に最も類似する画像コマを代表画像として定めることもできる。また、時間軸８０を月表示する代わりに、日付表示しても良い。
【００３９】
また、思い出ボタン５３が選択されたときに、インターネット等の通信回線を介して画像サーバ２３にアクセスし、所望の思い出画像コマを選択するようにしても良い。画像サーバ２３には、思い出画像ファイルと発生年月日情報とを含むデータベースが記録されている。図８に示すように、ユーザ１０が画像サーバ２３にアクセスすると、思い出画像データベース７２の内容がディスプレイ２３に表示される。思い出画像データベース７２は、複数のカテゴリ、例えば「スポーツ」、「映画」、「イベント」に分けられており、ユーザ１０の好みのカテゴリに該当する思い出画像コマ７３を選択することができる。ユーザ１０は、カーソルキー７４を移動して所望の思い出画像コマを選択する。
【００４０】
上記実施形態では、ユーザの生年月日情報に応じて各時代の区分け方を変更しているが、他の情報、例えば性別情報に応じて各時代の区分を変更しても良い。また、詳細なユーザ情報（例えば、結婚日、子供が生まれた日）が受付票２４に記入されている場合には、これらの情報を参照することで、画像を効率よくグループ分けすることができる。
【００４１】
上記実施形態では、各時代に属する画像コマ数情報が時代ボタン５７〜６２に表示されているが、図９に示すように、この表示を省略しても良い。また、各年毎の画像コマ数を表すヒストグラム８１を、時間軸５５の上に表示しても良い。さらに、各画像コマ６３の近傍に、年月日情報６３ａを表示しても良い。なお、年月日情報６３ａとして表示する代わりに、「高校１年生」、「大学１年生」のように表示することもできる。
【００４２】
また、各時代毎に代表画像コマを定め、これを表示してもよい。この場合では、図１０に示すように、時代ボタン５７〜６０の中に表示された代表画像コマ８２〜８５を見ることで、ユーザ１０は各時代の出来事を思い出しやすくなる。
【００４３】
上記実施形態では、ユーザが一人の場合について説明しているが、複数人であっても良い。図１１に示すように、２つのユーザ名「富士太郎」８６ａと「富士花子」８６ｂのエリアを設け、各エリア毎に時代ボタン８７ａ，８７ｂを設けることもできる。この場合では、受付票２４に二人分の氏名及び生年月日が記載されており、デジタルセンター１８のユーザ情報読み取り装置３４において二人分のユーザ情報を読みとる。人数分のユーザ情報ファイルがＤＶＤ２０に記録され、再生時に時代別ボタン５３が選択されたときに、図４に示すフローチャートに従って各ユーザの時代情報を検出する。そして、選択された時代に該当する画像データファイル４７をインデックスファイル４８を用いて抽出し、画像コマ６３をディスプレイ２３に表示する。
【００４４】
上記実施形態では、ユーザ情報を記載した受付票２４をケース１６に入れてデジタルセンター１８へ送る形態をとっているが、インターネットを介してＰＣ２２からデジタルセンター１８にユーザ情報を送ってもよい。あるいは、ユーザ１０がネガフイルム１２やプリント１４を入れたケース１６を受付店に持ち込み、受付店がケース１６をデジタルセンター１８に送る形態をとる場合には、ユーザ１０が受付店にケース１６を持ち込んだときに、ユーザ情報を記入するようにしてもよい。
【００４５】
【発明の効果】
以上のように、本発明によれば、ユーザの生年月日情報からユーザの各時代に対応する年代を特定して画像コマを各時代毎にグループ化し、次いで選択された時代に属する画像コマを記録媒体から読み出してディスプレイに表示するようにしたから、ユーザの記憶を利用して効率よく画像コマを検索できる。
【００４６】
また、ユーザの生年月日情報からユーザの各時代に対応する年代を特定して、ユーザの各時代を表す時代情報を年代を表す時間軸に対応づけてディスプレイに表示するとともに、年代が予め特定された特定画像コマを時代情報と並べて表示するようにしたから、特定画像と撮影コマを結びつけることで昔の出来事を容易に思い出すことができる。
【図面の簡単な説明】
【図１】デジタル化処理の流れを概略的に示すブロック図である。
【図２】ＤＶＤに記録されたデータの構成を示す説明図である。
【図３】画像コマ数情報が年代別に並べて表示される様子を示す説明図である。
【図４】画像コマを時代別に表示する手順を示すフローチャートである。
【図５】画像コマが時代別に表示される様子を示す説明図である。
【図６】思い出画像コマがディスプレイに表示される様子を示す説明図である。
【図７】撮影画像コマと思い出画像コマとが並べて表示される様子を示す説明図である。
【図８】思い出画像データベースを表す説明図である。
【図９】画像コマが時代別に表示される様子の別の形態を示す説明図である。
【図１０】画像コマが時代別に表示される様子のさらに別の形態を示す説明図である。
【図１１】複数ユーザの時代情報が同時に表示される様子示す説明図である。
【符号の説明】
１０  ユーザ
１８  デジタルセンター
２０  ＤＶＤ
３４  ユーザ情報読取装置
４８  インデックスファイル
４９  ユーザ情報ファイル
５０  閲覧プログラムファイル
５７，５８，５９，６０，６１，６２  時代ボタン
６３  画像コマ
６６，６７，６８，６９，７０，７１  思い出画像コマ
【図１】
2005031830.tif 000003
【図２】
2005031830.tif 000004
【図３】
2005031830.tif 000005
【図４】
2005031830.tif 000006
【図５】
2005031830.tif 000007
【図６】
2005031830.tif 000008
【図７】
2005031830.tif 000009
【図８】
2005031830.tif 000010
【図９】
2005031830.tif 000011
【図１０】
2005031830.tif 000012
【図１１】
2005031830.tif 000013